(57)【要約】      （修正有） 【課題】粘着部と支持部とを利用して、固定する高さも含めたそれぞれの固定する場所の異なる条件に合わせて随時着脱することができ、かつ粘着面を繰り返して使用することができ、かつ粘着面の使用回数を増加させ、使用寿命を延ばすことのできるペット用飲水装置の取付け構造を提供する。【解決手段】水分、もしくはペット用の飼料を保存する容器１０と、容器１０と一体に形成するか、もしくは別途設けて容器１０を支持する支持部２０と、支持部２０を固定し、かつ所定の位置に取付ける固定部３０と、を具えてなり、支持部２０が繰り返し使用できる粘着面３１を具え、粘着面３１を平面状の箇所に粘着して着脱自在に固定部３０を取り付けて、支持部２０と容器１０とを固定する。【選択図】図４
0003198281.tif 000002
【実用新案登録請求の範囲】
【請求項１】
水分、もしくはペット用の飼料を保存する容器と、
該容器と一体形成されるか、もしくは別体である該容器を支持する支持部と、
該支持部を固定し、かつ所定の位置に取付ける固定部と、を具えてなり、
該固定部は、平面状の箇所に着脱自在に粘着可能な粘着面を有し、
該平面状の箇所に粘着された該固定部に、該支持部を取り付けて、該支持部と該容器とを固定することを特徴とするペット用飲水装置の取付け構造。
【請求項２】
前記支持部は支持具と吸引管とを有し、該支持具は二つの彎曲したフレームを有する挟持具であって、該容器を挟持して固定し、該吸引管で水分をガイドしてペットの水飲みに供することを特徴とする請求項１に記載のペット用飲水装置の取付け構造。
【請求項３】
前記支持部が該容器と一体に形成され、かつ吸引管を具え、該容器内に投入した水分を該吸引管で水分をガイドしてペットの水飲みに供することを特徴とする請求項１に記載のペット用飲水装置の取付け構造。
【請求項４】
前記支持部は該容器と一体に形成され、該容器は椀状であることを特徴とする請求項１に記載のペット用飲水装置の取付け構造。
【請求項５】
前記固定部の一方の面に該粘着面を有し、他方の面に該支持部を連結するための取付け具を設け、該取付け具に嵌合溝を有するとともに、該支持部には、両端に凸縁を有する嵌合部を有し、該嵌合部を該嵌合溝に嵌合して該支持部を該固定部に連結することを特徴とする請求項１に記載のペット用飲水装置の取付け構造。
【考案の詳細な説明】
【技術分野】
【０００１】
この考案は、ペットに水、もしくは飼料を供給するためのペット用飲水装置の取付け構造に関する。
【背景技術】
【０００２】
従来のペット用飲水器は、図１、２に開示するように、容器１と、支持部２とを具えてなり、容器１は水を入れるために用い、支持部２は、容器１を固定し、支持する。
【０００３】
支持部２は、支持具３と、吸引管４と、保持具５とを具えてなり、容器１を支持する。
【０００４】
容器１は開口部を支持具３側の一端に形成する。また、吸引管４は容器１に投入した水を通過させ、ペットが水を飲むために供する。
【０００５】
保持具５は、挟持板５１と、固定具５２とによってなり、ペットゲージ６を挟持することによって、支持具３をペットゲージ６に固定し、容器１を取り付けて、ペットの水飲みに供するか、もしくは、支持部２の挟持板５１を壁面、またはペットハウスの屋根などに取付け、さらに容器１を取り付けてペットの水飲みに供する。
【０００６】
上述する従来のペット用飲水器における支持部２は、ペットゲージ６、壁面、もしくはペットハウスの屋根など、取り付ける箇所が限られる。しかも、組立てに時間が掛かり、または、壁面に取り付けるには、予め壁面に孔を開ける必要があり、または固定具５２をしっかり回して締結する必要があるなど、使用上不便である。
【０００７】
また、図３に開示する従来のペット用飲水器は、容器１と、支持部７とを具えてなり、容器１は水を入れるために用い、支持部７は、容器１を支持する。
【０００８】
支持部７は、固定具８と、吸引管９と、固定板７１とを具えてなり、容器１を支持する。
【０００９】
容器１は開口部を固定具８側の一端に形成する。また、吸引管９は容器１に投入した水を通過させ、ペットが水を飲むために供する。固定板７１は吸盤であって、平滑な面に吸着させ、支持部７をペットゲージに固定し、容器１を取り付けてペットの水飲みに供する。
【００１０】
上述する支持部７の固定板７１は、弾性的に空気を押し出して壁面に吸着する。但し、壁面に吸着することはできるが、吸着の効果には限りがあり、容易に脱着し、固定の効果を失う。
【００１１】
上述するように、従来のペット用飲水器、もしくは飲食器は、例えば挟持板と固定板で固定したり、吸盤で固定したり、壁面などに孔を開けたりして固定するが、いずれも欠点を有し、その内一部の固定方法は随時固定する場所を変更することができず、また外出する場合には、ペット用飲水器を設ける場所を見つけにくいという欠点を有する。
【考案の概要】
【考案が解決しようとする課題】
【００１２】
この考案は、粘着部と支持部とを利用して、固定する高さも含めたそれぞれの固定する場所の異なる条件に合わせて随時着脱することができ、かつ粘着面を繰り返して使用することのできるペット用飲水装置の取付け構造を提供することを課題とする。
【００１３】
また、この考案は、粘着面の使用回数を増加させ、使用寿命を延ばすことのできペット用飲水装置の取付け構造を提供することを課題とする。
【課題を解決するための手段】
【００１４】
そこで、本考案者は従来のペット洗浄装置に見られる欠点に鑑み鋭意研究を重ねた結果、水分、もしくはペット用の飼料を保存する容器と、該容器と一体に形成するか、もしくは別途設けて該容器を支持する支持部と、該支持部を固定し、かつ所定の位置に取付ける固定部と、を具えてなり、該支持部が繰り返し使用できる粘着面を具え、該粘着面を平面状の箇所に粘着して着脱自在に該固定部を取り付けて、該支持部と該容器とを固定するペット用飲水装置の取付け構造によって課題を解決できる点に着眼し、係る知見に基づいて本考案を完成させた。
【００１５】
以下この考案について説明する。請求項１に記載するペット用飲水装置の取付け構造は、水分、もしくはペット用の飼料を保存する容器と、該容器と一体に形成するか、もしくは別途設けて該容器を支持する支持部と、該支持部を固定し、かつ所定の位置に取付ける固定部と、を具えてなり、  該支持部が繰り返し使用できる粘着面を具え、該粘着面を平面状の箇所に粘着して着脱自在に該固定部を取り付けて、該支持部と該容器とを固定する。
【００１６】
請求項２に記載するペット用飲水装置の取付け構造は、請求項１における支持部が支持具と吸引管とを具えてなり、該支持具が二つの彎曲したフレームによってなる挟持具であって該容器を挟持して固定し、かつ該吸引管で水分をガイドしてペットの水飲みに供する。
【００１７】
請求項３に記載するペット用飲水装置の取付け構造は、請求項１における支持部が該容器と一体に形成され、かつ吸引管を具え、該容器内に投入した水分を該吸引管で水分をガイドしてペットの水飲みに供する。
【００１８】
請求項４に記載するペット用飲水装置の取付け構造は、請求項１における支持部が該容器と一体に形成され、かつ該容器が椀状に形成される。
【００１９】
請求項５に記載するペット用飲水装置の取付け構造は、請求項１における固定部の一方の面に該粘着面を形成し、他方の面に、該支持部を連結するための取付け具を設け、該取付け具に嵌合溝を形成するとともに、該支持部には、両端に凸縁を形成した嵌合部を形成し、該嵌合部を該嵌合溝に嵌合して該支持部を該固定部に連結する。
【図面の簡単な説明】
【００２０】
【図１】従来のペット用飲水装置の使用態様を示した説明図である。
【図２】図１に開示するペット用飲水装置器の一部拡大説明図である。
【図３】他の構造によるペット用飲水装置の使用態様を示した説明図である。
【図４】この考案によるペット用飲水装置を示した説明図である。
【図５】図４に開示するペット用飲水装置を示した斜視図である。
【図６】図４に開示するペット用飲水装置の側面図である。
【図７】図４に開示するペット用飲水装置の平面図である。
【図８】第２の実施の形態によるペット用飲水装置の平面図である。
【図９】図８に開示するペット用飲水装置の側面図である。
【図１０】第３の実施の形態によるペット用飲水装置の側面図である。
【図１１】図１０に開示するペット用飲水装置の平面図である。
【図１２】第４の実施の形態によるペット用飲水装置の平面図である。
【図１３】第５の実施の形態によるペット用飲水装置の側面図である。
【考案を実施するための形態】
【００２１】
この考案は、この考案は、粘着部と支持部とを利用して、固定する高さも含めたそれぞれの固定する場所の異なる条件に合わせて随時着脱することができ、かつ粘着面を繰り返して使用することができ、かつ粘着面の使用回数を増加させ、使用寿命を延ばすことのできるペット用飲水装置の取付け構造を提供するものであって、水分、もしくはペット用の飼料を保存する容器と、該容器と一体に形成するか、もしくは別途設けて該容器を支持する支持部と、該支持部を固定し、かつ所定の位置に取付ける固定部と、を具えてなり、該支持部が繰り返し使用できる粘着面を具え、該粘着面を平面状の箇所に粘着して着脱自在に該固定部を取り付けて、該支持部と該容器とを固定する。係るペット洗浄装置の構造と特徴を説明するために、具体的な実施例を挙げ、図面を参照にして以下に詳述する。
【実施例】
【００２２】
図４から図７に開示するように、この考案によるペット用飲食器の位置決め構造は、容器１０と、支持部２０と、固定部３０とを具えてなる。
【００２３】
容器１０は、水分、もしくはペット用の飼料を保存するためのものであって、例えばペットボトルであってもよい。
【００２４】
支持部２０は、容器１０を取り付けるためのものであって、固定部３０に固定する。支持部２０は、支持具２１と、吸引管２２とを具えてなり、支持具２１は二つの彎曲したフレームで容器１０を挟持して固定する。
【００２５】
容器１０は、倒立させて、即ち開口部を下にして支持具２１に取り付け、容器１０内に投入された水は吸引管２２にガイドされてペットの水飲みに供する。
【００２６】
固定部３０には支持部２０を連結し、かつ固定部３０は所定の位置に固定する。固定部３０は粘着面３１を具え、粘着面３１は平坦な面に繰り返し着脱することができる。即ち、粘着面３１を利用して、異なる取付け場所、取付ける高さに合わせて固定部３０を粘着し、支持部２０と容器１０とを固定するとともに、粘着面３１を随時剥がし、繰り返し使用することができる。
【００２７】
固定部３０は、一方の面を粘着面３１とし、他方の面には、支持部２０を連結するための取付け具３２を設ける。取付け具３２には嵌合溝３２１形成するとともに、支持部２０には、両端に凸縁を形成した嵌合部２０１を形成し、嵌合部２０１を嵌合溝３２１に嵌合して支持部２０を固定部３０に連結する。
【００２８】
上述するペット用飲水装置を使用する場合は、支持部２０の嵌合部２０１を固定部３０の嵌合溝３２１に嵌合して支持部２０を固定部３０に連結し、固定部３０の粘着面３１を壁面に粘着する。よって、支持部２０は固定部３０に固定される。
【００２９】
さらに、容器１０の開口部を下にして支持部２０の支持具２１に取付けて、ペット用飲水装置の組み立てと、取付けとを完成させる。容器１０に水を投入すると、吸引管２２に流れ、ペットの水飲みに供する。
【００３０】
この考案における粘着面３１は、繰り返して使用することができ、壁面、平滑な面、自動車の表面などに粘着することができる。粘着する場合は、予め粘着させる箇所の表面を清潔な布で拭き、粘着面３１の台紙を剥がして粘着させる箇所に押し付ける。よって、粘着するだけでペット用飲水装置を使用することができ、粘着層が固定するまで待つ必要がない。粘着は、ガラス、タイル、ステンレス板、塗装板、ＰＶＣ板、アクリル板、自動車の表面などの平坦で、かつ平滑な面に施すことができる。
【００３１】
支持部２０を取り外す場合は、支持部２０の嵌合部２０１を固定部３０の嵌合溝３２１から取り出すだけでよく、粘着させた壁面から固定部３０の粘着面３１を剥がす必要がない。よって、粘着面３１の使用寿命を延長させ、使用できる回数を増加させることができる。
【００３２】
図８、９に第２の実施の形態を開示する。図面の開示によれば、支持部４０は略Ｕ字状を呈する支持具４１と吸引管４２とを具え、横断面が矩形を呈する容器１００を支持する。
【００３３】
固定部３０は、一方の面を粘着面３１とし、他方の面には、支持部４０を連結するための取付け具３２を設ける。取付け具３２には嵌合溝３２１形成するとともに、支持部４０には、両端に凸縁を形成した嵌合部４０１を形成し、嵌合部４０１を嵌合溝３２１に嵌合して支持部２０を固定部３０に連結する。
【００３４】
第２の実施の形態によるペット用飲水装置を使用する場合は、支持部４０の嵌合部４０１を固定部３０の嵌合溝３２１に嵌合して支持部４０を固定部３０に連結し、固定部３０の粘着面３１を壁面に粘着する。よって、支持部２０は固定部３０に固定される。
【００３５】
さらに、容器１００の開口部を下にして支持部４０の支持具４１に取付けて、ペット用飲水装置の組み立てと、取付けとを完成させる。容器１００に水を投入すると、吸引管４２に流れ、ペットの水飲みに供する。
【００３６】
また、第１の実施の形態と同様に、支持部４０を取り外す場合は、支持部４０の嵌合部４０１を固定部３０の嵌合溝３２１から取り出すか、もしくは支持具４１を開放して容器１００を取出すだけでよく、粘着させた壁面から固定部３０の粘着面３１を剥がす必要がない。よって、粘着面３１の使用寿命を延長させ、使用できる回数を増加させることができる。
【００３７】
図１０、１１に第３の実施の形態を開示する。図面の開示によれば、支持部１４０は、容器１００と一体に形成する。容器１００は同様に吸引管４２を具える。
【００３８】
固定部３０は、一方の面を粘着面３１とし、他方の面には、支持部１４０を連結するための取付け具３２を設ける。取付け具３２には嵌合溝３２１を形成するとともに、支持部１４０には、両端に凸縁を形成した嵌合部１４０１を形成し、嵌合部１４０１を嵌合溝３２１に嵌合して支持部１４０を固定部３０に連結する。
【００３９】
図１２に第４の実施の形態を開示する。図面の開示によれば、支持部１５０は容器１００と一体に形成する。
【００４０】
固定部３０は、一方の面を粘着面３１とし、他方の面には、支持部１５０を連結するための取付け具３３を設ける。取付け具３３には両端に凸縁を形成した嵌合部３３１を形成するとともに、支持部１５０には、嵌合溝１５０１を形成し、嵌合部３３１を嵌合溝１５０１に嵌合して支持部１５０を固定部３０に連結する。
【００４１】
図１３に第５の実施の形態を開示する。図面の開示によれば、支持部５１は容器５０と一体に形成する。容器５０は椀状に形成し、飼料、もしくは水を入れてペットの飲食に供する。
【００４２】
固定部３０は、一方の面を粘着面３１とし、他方の面には、支持部５１を連結するための取付け具３２を設ける。取付け具３２には嵌合溝３２１形成するとともに、支持部５１には、両端に凸縁を形成した嵌合部５０１を形成し、嵌合部５０１を嵌合溝３２１に嵌合して支持部５０１を固定部３０に連結する。
【００４３】
粘着面３１を具える固定部３０は、各種の形状にすることができ、いずれの形状であってもこの考案の実施の範囲に含まれるものとする。また、この考案によるペット用飲水装置の取付け構造においては、支持部と吸引管を具えるが、但し、この構成に限ることなく、容器を取付け、ペットの吸引に供することのできる形態は、いずれもこの考案の実施の範囲に含まれるものとする。
【００４４】
以上の構成によるペット用飲水装置の取付け構造は、ペットゲージに取付ける必要がなく、外出時にはペット用飲水装置を設けたキャリアケースを運び出す必要もない。また、取付ける高さを問わないため、この考案によるペット用飲水装置の取付け構造は、大小さまざまなサイズのペットハウスに応用することができ、さらに取り付けるための特定の場所を選定する必要がなく。平坦かつ平滑な面であればいずれも適用することができる。しかも、粘着面３１は繰り返し使用することができ、取付ける場合に壁面に孔を開ける必要がなく、釘などで固定する必要もない。また、取り外す場合は、支持部２０を固定部３０の取付け具３２から取り外すだけでよく、壁面から粘着面３１を剥がす必要がなく、粘着面３１の使用寿命を延長し、使用回数を増加させることができる。
【符号の説明】
【００４５】
１         容器
１０       容器
１００     容器
１４０     支持部
１４０１   嵌合部
１５０     支持部
１５０１   嵌合溝
２         支持部
２０       支持部
２０１     嵌合部 
２１       支持具
２２       吸引管
３         支持具
３０       固定部
３１       粘着面
３２       取付け具
３２１     嵌合溝
３３       取付け具
３３１     嵌合部
４         吸引管
４０       支持部
４０１     嵌合部
４１       支持具
４２       吸引管
４２０     支持部
５         保持具
５０       容器
５０１     嵌合部
５１       支持部
５１       挟持板
５２       固定具
６         ペットゲージ
７         支持部
７１       固定板
８         固定具
９         吸引管
【図１】
0003198281.tif 000003
【図２】
0003198281.tif 000004
【図３】
0003198281.tif 000005
【図４】
0003198281.tif 000006
【図５】
0003198281.tif 000007
【図６】
0003198281.tif 000008
【図７】
0003198281.tif 000009
【図８】
0003198281.tif 000010
【図９】
0003198281.tif 000011
【図１０】
0003198281.tif 000012
【図１１】
0003198281.tif 000013
【図１２】
0003198281.tif 000014
【図１３】
0003198281.tif 000015